(57)【要約】【課題】簡易な構成で形成することができる容器を提供する。【解決手段】容器１０は、下縁折り線２１によって囲まれてなる長方形状の底壁部２０と、一対の第１側壁部３１及び一対の第２側壁部３２を有する側壁部３０とを備えている。また、互いに隣り合う第１側壁部３１と第２側壁部３２との側縁折り線４１同士を一致させた状態で側壁部３０の外側にて折り畳まれるとともに第２側壁部３２の外面に向けて折り返される折り畳み部４０を備えている。また、第２側壁部３２における下縁折り線２１とは反対側の上縁折り線３３に連なって設けられ、上縁折り線３３を起点に折り返されるとともに第２側壁部３２の外面と共に折り畳み部４０を挟む折り返し部５０を備えている。第２側壁部３２及び折り返し部５０は、上縁折り線３３の途中の２点と、底壁部２０の２つの頂点とをそれぞれ結ぶ一対の保持折り線６０に沿って外側に向けて折り曲げられている。【選択図】図５
0003217919.tif 000002
【実用新案登録請求の範囲】
【請求項１】
所定の形状に裁断された１枚のシート材を折り曲げることによって形成される容器であって、
下縁折り線によって囲まれてなる長方形状の底壁部と、
前記下縁折り線にそれぞれ連なって設けられ、前記下縁折り線を起点に起立されることでそれぞれ互いに対向する一対の第１側壁部及び一対の第２側壁部を有する側壁部と、
互いに隣り合う前記第１側壁部の側縁折り線と前記第２側壁部の側縁折り線とにそれぞれ連なって設けられ、前記側縁折り線同士を一致させた状態で前記側壁部の外側にて折り畳まれるとともに前記側縁折り線を起点に前記第２側壁部の外面に向けて折り返される折り畳み部と、
前記第２側壁部における前記下縁折り線とは反対側の上縁折り線に連なって設けられ、前記上縁折り線を起点に折り返されるとともに前記第２側壁部の外面と共に前記折り畳み部を挟む折り返し部と、を有し、
前記第２側壁部及び前記折り返し部は、前記上縁折り線の途中から前記下縁折り線に向かって延びる保持折り線に沿って外側に向けて折り曲げられている、
容器。
【請求項２】
前記第２側壁部及び前記折り返し部は、前記上縁折り線の途中の２点から前記下縁折り線に向かってそれぞれ延びる一対の前記保持折り線に沿って外側に向けて折り曲げられている、
請求項１に記載の容器。
【請求項３】
前記保持折り線は、前記折り畳み部の縁部に沿って延びている、
請求項２に記載の容器。
【請求項４】
前記保持折り線に沿って折り曲げられる前の状態における前記第２側壁部の幅は、前記下縁折り線側から前記上縁折り線側に向かって徐々に大きい、
請求項１〜請求項３のいずれか一項に記載の容器。
【請求項５】
前記第１側壁部の各々における前記下縁折り線とは反対側の縁部には、一対の把手が連なって設けられており、
前記一対の把手の一方には、他方に係合する係合片が連なって設けられている、
請求項１〜請求項４のいずれか一項に記載の容器。
【考案の詳細な説明】
【技術分野】
【０００１】
本考案は、紙材を折り曲げて形成される容器に関する。
【背景技術】
【０００２】
従来、所定の形状に裁断された１枚の紙材を折り曲げることによって形成される容器が知られている（例えば、特許文献１参照）。同文献１に記載の容器は、角形の底板と、底板の外縁折り線にそれぞれ連接して設けられるとともに外縁折り線から起立される複数の側板と、起立状態にある各側板のうち互いに隣接する側板同士を接着する接着代とを備えている。互いに対向する一対の側板の上辺には、補強片が設けられている。また、各補強片には、把持片が連設されている。各側板を起立させた状態で、各接着代において互いに隣り合う側板同士を接着することにより、角形容器が形成される。
【先行技術文献】
【特許文献】
【０００３】
【特許文献１】実用新案登録第３０７８１７５号公報
【考案の概要】
【考案が解決しようとする課題】
【０００４】
ところで、特許文献１に記載の容器の場合、各接着代において互いに隣り合う側板同士を接着する工程が必要となる。そのため、手間を要するものとなっている。
本考案の目的は、簡易な構成で形成できる容器を提供することにある。
【課題を解決するための手段】
【０００５】
上記目的を達成するための容器は、所定の形状に裁断された１枚のシート材を折り曲げることによって形成される容器であって、下縁折り線によって囲まれてなる長方形状の底壁部と、前記下縁折り線にそれぞれ連なって設けられ、前記下縁折り線を起点に起立されることでそれぞれ互いに対向する一対の第１側壁部及び一対の第２側壁部を有する側壁部と、互いに隣り合う前記第１側壁部の側縁折り線と前記第２側壁部の側縁折り線とにそれぞれ連なって設けられ、前記側縁折り線同士を一致させた状態で前記側壁部の外側にて折り畳まれるとともに前記側縁折り線を起点に前記第２側壁部の外面に向けて折り返される折り畳み部と、前記第２側壁部における前記下縁折り線とは反対側の上縁折り線に連なって設けられ、前記上縁折り線を起点に折り返されるとともに前記第２側壁部の外面と共に前記折り畳み部を挟む折り返し部と、を有し、前記第２側壁部及び前記折り返し部は、前記上縁折り線の途中から前記下縁折り線に向かって延びる保持折り線に沿って外側に向けて折り曲げられている。
【０００６】
同構成によれば、第２側壁部と折り返し部とが、互いに重ねられた状態にて保持折り線に沿って外側に向けて折り曲げられている。このため、上縁折り線は、保持折り線との交点において屈曲されることとなる。すなわち、上縁折り線は、上記交点を境に異なる方向に延びる複数の分割線に分割されることとなる。これにより、折り返し部のうち１つの分割線を含む部分に対して第２側壁部の外面から離間する方向に変位させようとする力が作用すると、他の分割線を含む部分については当該１つの分割線を起点としては変位しないことから、他の分割線を含む部分によって当該１つの分割線を含む部分の変位が規制されることとなる。このようにして、第２側壁部の外面からの折り返し部の離間が規制されるようになる。このため、折り畳み部は、第２側壁部と折り返し部とによって挟まれた状態にて保持されるようになる。これらのことから、一対の第１側壁部及び一対の第２側壁部により構成される側壁部を正規の形状に維持することができる。したがって、簡易な構成により容器を形成することができる。
【０００７】
上記容器において、前記第２側壁部及び前記折り返し部は、前記上縁折り線の途中の２点から前記下縁折り線に向かってそれぞれ延びる一対の前記保持折り線に沿って外側に向けて折り曲げられていることが好ましい。
【０００８】
同構成によれば、上縁折り線は、一対の保持折り線との２つの交点を境に３つの分割線に分割される。これにより、交点が１つの場合に比べて、第２側壁部の外面からの折り返し部の離間が一層規制されるようになる。
【０００９】
上記容器において、前記保持折り線は、前記折り畳み部の縁部に沿って延びていることが好ましい。
同構成によれば、第２側壁部と折り返し部とを保持折り線に沿って外側に向けて折り曲げる際に、折り畳み部が折り曲げられることを回避できる。したがって、シート材を折り曲げる作業を容易に行うことができる。
【００１０】
上記容器において、前記保持折り線に沿って折り曲げられる前の状態における前記第２側壁部の幅は、前記下縁折り線側から前記上縁折り線側に向かって徐々に大きいことが好ましい。
【００１１】
例えば、保持折り線に沿って折り曲げられる前の状態における第２側壁部の幅が一定である場合、容器の開口面積は底壁部の面積に一致する。しかしながら、第２側壁部を保持折り線に沿って外側に向けて折り曲げると、このことに伴って一対の第１側壁部が第２側壁部に引っ張られることで内側に引き込まれるようになるため、容器の開口面積が底壁部の面積よりも小さくなる。
【００１２】
この点、上記構成によれば、第２側壁部の幅が下縁折り線から上縁折り線に向かって徐々に大きくされている。このため、第２側壁部が保持折り線に沿って折り曲げられる前の状態において、第１側壁部は開口に近接するほど幅方向の外側に位置するように傾斜することとなり、容器の開口面積が底壁部の面積よりも大きくされる。これにより、一対の第１側壁部が第２側壁部に引っ張られることで内側に引き込まれたとしても、容器の開口面積が底壁部の面積よりも小さくなることを抑制できる。
【００１３】
上記容器において、前記第１側壁部の各々における前記下縁折り線とは反対側の縁部には、一対の把手が連なって設けられており、前記一対の把手の一方には、他方に係合する係合片が連なって設けられていることが好ましい。
【００１４】
同構成によれば、一対の把手が設けられているため、容器を持ちやすくなる。また、一対の把手の一方に設けられた係合片を介して把手同士を互いに係合させることができる。このため、把手を持ちやすくなる。また、把手同士を係合させない状態においては、複数の容器を互いに重ね合わせることができるため、容器の保管に必要なスペースを減らすことができる。
【考案の効果】
【００１５】
本発明によれば、容器を簡易な構成で形成することができる。
【図面の簡単な説明】
【００１６】
【図１】容器の一実施形態について、収容物が収容された状態の容器を示す斜視図。
【図２】同実施形態の展開された状態の容器を示す平面図。
【図３】同実施形態の折り畳み部が側壁部の外側にて折り畳まれた状態を示す斜視図。
【図４】同実施形態の折り畳み部が第２側壁部の外面に向けて折り返された状態を示す斜視図。
【図５】同実施形態の完成状態の容器を示す斜視図。
【図６】同実施形態の完成状態の容器を示す平面図。
【考案を実施するための形態】
【００１７】
以下、図１〜図６を参照して、一実施形態について説明する。
図１に示すように、容器１０は、果物などの収容物１００を収容するものであり、所定の形状に裁断された１枚の紙製のシート材を折り曲げることによって形成されている。
【００１８】
図１及び図５に示すように、容器１０は、長方形状の底壁部２０と、底壁部２０から延びる側壁部３０と、側壁部３０に設けられた把手７０とを備えている。なお、以降において、底壁部２０の長手方向を長手方向Ｘ、図１の上下方向を上下方向Ｙ、長手方向Ｘと上下方向Ｙとの双方に直交する方向を幅方向Ｚとして説明する。
【００１９】
側壁部３０は、幅方向Ｚにおいて対向する一対の第１側壁部３１と、長手方向Ｘにおいて対向する一対の第２側壁部３２とを有している。
互いに隣り合う第１側壁部３１と第２側壁部３２との側縁同士の間には、当該側縁同士を連結するとともに、側壁部３０の外側に折り畳まれた折り畳み部４０が設けられている。各折り畳み部４０は、折り畳まれた状態において側面視略三角形状をなしており、第２側壁部３２の外面に向けて折り返されている。
【００２０】
各第２側壁部３２の上縁には、側壁部３０の外側に折り返された一対の折り返し部５０が設けられている。各折り返し部５０は、先端側ほど幅方向Ｚにおける長さが短くされている。なお、各折り畳み部４０は、第２側壁部３２と折り返し部５０とにより挟まれている。
【００２１】
各第２側壁部３２及び各折り返し部５０は、互いに重ねられた状態にて、後述する上縁折り線３３の途中の２点と底壁部２０の２つの頂点とをそれぞれ結ぶ一対の保持折り線６０に沿って外側に向けて折り曲げられている。
【００２２】
各第１側壁部３１の縁部には、一対の把手７０が突設されている。各把手７０は、開口部７０ａを有するアーチ状をなしている。一対の把手７０のうち一方の把手７０には、係合片７１が設けられている。係合片７１は、略長方形状をなしており、把手７０の開口部７０ａの内側に向かって突出するとともに長手方向Ｘに沿って延在している。係合片７１は、他方の把手７０の開口部７０ａの縁部に係合可能とされている。把手７０同士が互いに係合された状態において、各把手７０は、容器１０の開口の上方に位置している。
【００２３】
次に、図２を参照して、容器１０の展開状態の形状について説明する。
図２に示すように、底壁部２０の外周縁の全体には、下縁折り線２１が形成されている。
【００２４】
各第１側壁部３１の幅（長手方向Ｘにおける長さ）は、下縁折り線２１側から把手７０側に向かって徐々に大きい。また、各第２側壁部３２の幅（幅方向Ｚにおける長さ）は、下縁折り線２１側から上縁折り線３３側に向かって徐々に大きい。
【００２５】
第１側壁部３１及び第２側壁部３２と、折り畳み部４０が隣接する部分には、一対の側縁折り線４１がそれぞれ形成されている。なお、側縁折り線４１のうち、第２側壁部３２に隣接する側には、ミシン目が設けられている。折り畳み部４０の側縁折り線４１同士の間には、補助折り線４２が形成されている。なお、補助折り線４２には、ミシン目が設けられている。
【００２６】
各第２側壁部３２と各折り返し部５０とが隣接する部分には、上縁折り線３３が形成されている。
上述したように、各第２側壁部３２と各折り返し部５０とには、一対の保持折り線６０が形成されている。各保持折り線６０は、底壁部２０の頂点から上縁折り線３３まで延びる一対の第１保持折り線３４と、各第１保持折り線３４と上縁折り線３３との交点から折り返し部５０の外縁まで延びる一対の第２保持折り線５１とを有している。各第１保持折り線３４は、上縁折り線３３に近接するほど幅方向Ｚの内側に位置するように傾斜している。各第２保持折り線５１は、折り返し部５０の外縁に近接するほど、幅方向Ｚの外側に位置するように傾斜している。なお、各第１保持折り線３４及び各第２保持折り線５１が上縁折り線３３となす角度は略同一である。
【００２７】
次に、図３〜図６を参照して、容器１０の形成手順について説明する。
まず、図３に示すように、各第１側壁部３１及び各第２側壁部３２を下縁折り線２１を起点に上方に向かって起立させる。これと同時に、各折り畳み部４０を一対の側縁折り線４１及び補助折り線４２に沿って外側に折り畳む。この状態において、一対の側縁折り線４１同士は一致している。このとき、上述したように、各第２側壁部３２の幅は、下縁折り線２１側から上縁折り線３３側に向かって徐々に大きいため、各第１側壁部３１は、上方側ほど幅方向Ｚの外側に位置するように傾斜することとなる。
【００２８】
次に、図４に示すように、各折り畳み部４０を各第２側壁部３２の外面に向けて折り返す。この状態において、各折り畳み部４０の縁部４０ａは、各第１保持折り線３４に沿うこととなる。
【００２９】
次に、図５に示すように、各折り返し部５０を上縁折り線３３を起点に外側に向かって折り返すとともに、各第２側壁部３２の外面と各折り返し部５０とにより各折り畳み部４０を挟み込む。
【００３０】
ここで、上述したように、各第２側壁部３２の第１保持折り線３４及び各折り返し部５０の第２保持折り線５１が上縁折り線３３となす角度は同一である。このため、各折り返し部５０が上縁折り線３３を起点に外側に折り返された状態、より詳しくは、各第２側壁部３２の外面と各折り返し部５０とにより各折り畳み部４０を挟んだ状態において、各第１保持折り線３４と各第２保持折り線５１とが略重なり合う。したがって、各第２側壁部３２を各第１保持折り線３４に沿って外側に向けて折り曲げることで、折り返し部５０が第２保持折り線５１に沿って外側に向けて折り曲げられることとなる。このとき、上述したように、折り畳み部４０の縁部４０ａは、第１保持折り線３４に沿っている、すなわち、各保持折り線６０は、各折り畳み部４０の縁部４０ａに沿って延びている。このため、各第２側壁部３２と各折り返し部５０とが各保持折り線６０に沿って外側に向けて折り曲げられる際に、折り畳み部４０は、側縁折り線４１に沿ってのみ外側に向けて折り曲げられる。
【００３１】
また、各上縁折り線３３は、各保持折り線６０との交点において屈曲される。このため、各上縁折り線３３は、上記交点を境に異なる方向に延びる複数（本実施形態では３つ）の分割線３３ａ，３３ｂ，３３ｃに分割されることとなる。
【００３２】
本実施形態の作用について説明する。
容器１０は、各第２側壁部３２と各折り返し部５０とが、互いに重ねられた状態にて一対の保持折り線６０に沿って外側に向けて折り曲げられている。このため、各上縁折り線３３は、各保持折り線６０との交点において屈曲されることとなる。すなわち、各上縁折り線３３は、上記交点を境に異なる方向に延びる複数の分割線３３ａ，３３ｂ，３３ｃに分割されることとなる。これにより、折り返し部５０のうち１つの分割線を含む部分に対して第２側壁部３２の外面から離間する方向に変位させようとする力が作用すると、他の分割線を含む部分については当該１つの分割線を起点としては変位しないことから、他の分割線を含む部分によって当該１つの分割線を含む部分の変位が規制されることとなる。このようにして、各第２側壁部３２の外面からの各折り返し部５０の離間が規制されるようになる。このため、各折り畳み部４０は、第２側壁部３２と折り返し部５０とによって挟まれた状態にて保持されるようになる。
【００３３】
本実施形態の効果について説明する。
（１）容器１０は、下縁折り線２１によって囲まれてなる長方形状の底壁部２０と、下縁折り線２１にそれぞれ連なって設けられ、下縁折り線２１を起点に起立されることでそれぞれ互いに対向する一対の第１側壁部３１及び一対の第２側壁部３２を有する側壁部３０とを備えている。また、互いに隣り合う第１側壁部３１の側縁折り線４１と第２側壁部３２の側縁折り線４１とにそれぞれ連なって設けられ、側縁折り線４１同士を一致させた状態で側壁部３０の外側にて折り畳まれるとともに側縁折り線４１を起点に第２側壁部３２の外面に向けて折り返される折り畳み部４０を備えている。また、第２側壁部３２における下縁折り線２１とは反対側の上縁折り線３３に連なって設けられ、上縁折り線３３を起点に折り返されるとともに第２側壁部３２の外面と共に折り畳み部４０を挟む折り返し部５０を備えている。第２側壁部３２及び折り返し部５０は、上縁折り線３３の途中の２点と、底壁部２０の２つの頂点とをそれぞれ結ぶ一対の保持折り線６０に沿って外側に向けて折り曲げられている。
【００３４】
こうした構成によれば、上記作用を奏することから、一対の第１側壁部３１及び一対の第２側壁部３２により構成される側壁部３０を正規の形状に維持することができる。したがって、簡易な構成により容器１０を形成することができる。
【００３５】
（２）各保持折り線６０は、各折り畳み部４０の縁部４０ａに沿って延びている。
こうした構成によれば、各第２側壁部３２と各折り返し部５０とを各保持折り線６０に沿って外側に向けて折り曲げる際に、各折り畳み部４０が折り曲げられることを回避できる。したがって、シート材を折り曲げる作業を容易に行うことができる。
【００３６】
（３）各保持折り線６０に沿って折り曲げられる前の状態における各第２側壁部３２の幅は、下縁折り線２１側から上縁折り線３３側に向かって徐々に大きい。
例えば、各保持折り線６０に沿って折り曲げられる前の状態における各第２側壁部３２の幅が一定である場合、容器１０の開口面積は底壁部２０の面積に一致する。しかしながら、各第２側壁部３２を各保持折り線６０に沿って外側に向けて折り曲げると、このことに伴って一対の第１側壁部３１が各第２側壁部３２に引っ張られることで内側に引き込まれるようになるため、容器１０の開口面積が底壁部２０の面積よりも小さくなる。
【００３７】
この点、上記構成によれば、各第２側壁部３２の幅が下縁折り線２１から上縁折り線３３に向かって徐々に大きくされている。このため、各第２側壁部３２が各保持折り線６０に沿って折り曲げられる前の状態において、各第１側壁部３１は上方側ほど幅方向Ｚの外側に位置するように傾斜することとなり、容器１０の開口面積が底壁部２０の面積よりも大きくされる。これにより、一対の第１側壁部３１が各第２側壁部３２に引っ張られることで内側に引き込まれたとしても、容器１０の開口面積が底壁部２０の面積よりも小さくなることを抑制できる。
【００３８】
（４）各第１側壁部３１の下縁折り線２１とは反対側の縁部には、一対の把手７０が連なって設けられており、一対の把手７０の一方には、他方に係合する係合片７１が連なって設けられている。
【００３９】
こうした構成によれば、一対の把手７０が設けられているため、容器１０を持ちやすくなる。また、一対の一方の把手７０に設けられた係合片７１を介して把手７０同士を互いに係合させることができる。このため、把手７０を持ちやすくなる。また、把手７０同士を係合させない状態においては、複数の容器１０を互いに重ね合わせることができるため、容器１０の保管に必要なスペースを減らすことができる。
【００４０】
また、係合されて一体となった一対の把手７０が容器１０の開口の上方に位置することによって、容器１０から収容物１００が飛び出ることを抑制することができる。
本実施形態は、以下のように変更して実施することができる。本実施形態及び以下の変更例は、技術的に矛盾しない範囲で互いに組み合わせて実施することができる。
【００４１】
・本実施形態では、各第２側壁部３２及び各折り返し部５０に一対の保持折り線６０が設けられていたが、各第２側壁部３２及び各折り返し部５０に下縁折り線２１から上縁折り線３３に向かって延びる１つの保持折り線が設けられていてもよい。また、３つ以上の保持折り線が設けられていてもよい。
【００４２】
・保持折り線は、上縁折り線と交差していればよく、下縁折り線２１とは交差していなくてもよい。
【符号の説明】
【００４３】
１０…容器、２０…底壁部、２１…下縁折り線、３０…側壁部、３１…第１側壁部、３２…第２側壁部、３３…上縁折り線、３３ａ…分割線、３３ｂ…分割線、３３ｃ…分割線、３４…第１保持折り線、４０…折り畳み部、４０ａ…縁部、４１…側縁折り線、４２…補助折り線、５０…折り返し部、５１…第２保持折り線、６０…保持折り線、７０…把手、７０ａ…開口部、７１…係合片、１００…収容物。
【図１】
0003217919.tif 000003
【図２】
0003217919.tif 000004
【図３】
0003217919.tif 000005
【図４】
0003217919.tif 000006
【図５】
0003217919.tif 000007
【図６】
0003217919.tif 000008